(57)【要約】【課題】識別体２が簡単な方法で取り付け可能な標示杭Ａを提供する。【解決手段】頭部１０の少なくとも一部分が地表から露出するようにして地盤Ｃに埋設される標示杭Ａであって、頂面１０ａに、外部からの読み出し用電磁波を受けたとき記憶した情報を発信する識別体２を備えた釘形の止着部材１５、または測量用の器材１６が選択的に挿入される挿入孔１３が形成されている標示杭Ａ。【選択図】  図２ 
2005061994.tif 000002
【特許請求の範囲】
【請求項１】
頭部の少なくとも一部分が地表から露出するようにして地盤に埋設される標示杭であって、
頂面に、外部からの読み出し用電磁波を受けたとき記憶した情報を発信する識別体を備えた釘形の止着部材、または測量用の器材が選択的に挿入される挿入孔が形成されている標示杭。
【請求項２】
請求項１において、杭本体の頭部にキャップが被せられてなる標示杭であって、前記キャップに前記挿入孔が形成されている標示杭。
【請求項３】
請求項１または２において、標示杭を識別するための表示プレートが前記止着部材によって前記標示杭の頭部に止着されている標示杭。
【発明の詳細な説明】
【技術分野】
【０００１】
本発明は、地籍調査を行うような場合に使用される土地や道路の境界、または、その位置のケーブル、水道管、ガス管等の埋設状況を表示する標示杭に関するものである。
【背景技術】
【０００２】
従来、地籍調査等を行う場合には、位置標示部材として測量杭が使用される（例えば、特許文献１参照）。この測量杭は、地盤に打ち込まれるもので、細長い棒状とされた杭本体の頭部に、地表に露出するキャップを取り付け、このキャップの頂面に測量杭の識別番号や用途が付された表示プレートを釘等で打ち付けている。
【特許文献１】実用新案登録第２５２７６０７号公報（第３欄第２２行目−第４欄第３４行目、第１図）
【０００３】
以上の測量杭によれば、その頭部が落ち葉や流土等で埋まってしまったり、いたずらや火災等で前記表示プレートが失われると、測量杭の位置確認が困難となり、その表示プレートに付した情報も失われる。
【０００４】
そこで、本件出願人は、杭本体の頭部に、外部からの読み出し用電磁波を受けたときに、記憶した各種情報を発信する識別体が取り付けられた位置標示器を、先に提案した（例えば、特許文献２参照）。この位置標示器によれば、頭部が埋まったり、標示プレートが失われても、情報は保持される。
【特許文献２】特開平９−５３９４１号公報（第２欄第４１−４６行目、図２）
【発明の開示】
【発明が解決しようとする課題】
【０００５】
しかし、前記構成ではキャップを被せる前に識別体を杭本体の頭部に収納しなければならないので、作業性が悪い。また、識別体がいたずらにより取り出されることを防ぐため、キャップを杭本体の頭部から取り外しできないようにする特別な構造が必要である。
【０００６】
本発明の目的は、識別体が簡単な方法で取り付け可能な標示杭を提供することにある。
【課題を解決するための手段】
【０００７】
上記目的を達成するために、本発明に係る標示杭は、頭部の少なくとも一部分が地表から露出するようにして地盤に埋設される標示杭であって、頂面に、外部からの読み出し用電磁波を受けたとき記憶した情報を発信する識別体を備えた釘形の止着部材が挿入され、測量用の器材の挿入にも利用できる挿入孔が形成されている。
【０００８】
前記構成によれば、前記識別体は釘形であるため、標示杭の頂面に開けられた挿入孔に軽く打ち込んで挿入するだけで容易に標示杭に取り付けられる。また、埋設された状態の標示杭に識別体の取り付けが可能となるので、作業性がよい。さらに、識別体を取り付けない場合、前記挿入孔には測量用の器材であるポールもしくは光波反射鏡を立てることができるので、測量の用途にも使用できる。また、標示杭には挿入孔を追加するだけで済むから、既存の標示杭にドリル加工で挿入孔を設けることにより、本発明を容易に適用できる。
【０００９】
また、本発明の好ましい実施形態では、杭本体の頭部にキャップが被せられてなる標示杭であって、前記キャップに前記挿入孔が形成されている。
【００１０】
さらに、本発明の好ましい実施形態では、標示杭を識別するための表示プレートが前記止着部材によって前記標示杭の頭部に止着されている。この構成によれば、表示プレートを標示杭に取り付けるために別の取付部材を設ける必要がない。
【発明の効果】
【００１１】
本発明の識別体を備えた標示杭によれば、識別体を容易に標示杭に取り付けることができる。
【発明を実施するための最良の形態】
【００１２】
以下、本発明の一実施形態を図面に基づいて説明する。図１に示す標示杭Ａは、細長い断面星形状とされた杭本体１の先端側に先端部１１を、他方側に四角柱形状とされた頭部１０をそれぞれ形成して、この頭部１０に、その頂面１０ａと側面１０ｂを覆うキャップ１２を取り付けている。杭本体１およびキャップ１２の横断面形状は、三角形、四角形以上の多角形、円形等、種々の形状とすることができる。さらに、キャップ１２の頂面１２ａに挿入孔１３が設けられている。なお、前記杭本体１およびキャップ１２の材料は、樹脂製品の成形時に発生する樹脂かすや樹脂製品の廃物等を原料とするリサイクル樹脂で形成する。
【００１３】
この挿入孔１３は、杭本体１の長手方向に沿って延びており、図２に示すように、入口部に、外側へ向かって広がるガイド面１３ａが形成されている。前記挿入孔１３には、外部からの読み出し用電磁波を受けたときに記憶した情報を発信する、円柱状あるいは多角柱状の識別体２を内蔵した釘形の止着部材１５が取り付けられる。止着部材の材料は、樹脂の他、セラミックス、アルミニウムまたはステンレスなどの金属が用いられる。前記挿入孔１３の内径は止着部材１５の外径よりも若干小さく設定されており、止着部材１５は、挿入孔１３に、例えばハンマーで軽く打ち込むことにより、挿入孔１３に挿入されて、固定される。この案内用の挿入孔１３があるから、止着部材１５を強く打ち込む必要がないので、打ち込みの打撃によって情報が壊れるおそれがない。また、樹脂製の止着部材１５であっても、打ち込む際に折れにくくなる。
【００１４】
前記識別体２は、共鳴物質と磁性材料を適当に配置し、または、両者を適当に混合して形成され、これに磁界が付加されたときの磁気共鳴現象を利用して特有の周波数（共鳴周波数）の電磁波を発生するように形成されている。この特有の周波数の電磁波は、例えばその杭の識別番号を示す情報となる。
【００１５】
前記識別体２に対する前記特有の周波数（情報）の付加は、公知技術のように識別体２の共鳴特性を化学的または結晶学的もしくは物理的に変更可能な電磁ビームや粒子ビームなどを前記識別体２に発射することによって行われる。このようにして識別体２に付加される情報は、強い衝撃を与えると破壊されるおそれがあるから、止着部材１５を杭本体１の頭部１０に打ち込んだ後、止着部材１５に情報を付加することが好ましい。
【００１６】
しかしながら、識別体２に識別情報を付加した後に、止着部材１５を標示杭Ａに対して打ち込むことも可能である。ただし、この場合には、キャップ１２の挿入孔１３を若干大き目に開けておき、止着部材１５を強く打ち込まないで取り付けるようにすることが好ましい。
【００１７】
また、図３に示すように、前記識別体２を取り付けない場合は、挿入孔１３に、例えば、長さが２０〜３０ｃｍ程度の測量用の器材であるポール１６を立てて光学測量の標識として利用することができる。このとき、ガイド面１３ａによって、ポール１６が挿入孔１３内に円滑に挿入される。また、測量用の器材として、ポールの他に、測量用の光波発射器からの光波を光波発射器に向けて反射するための光波反射鏡を立ててもよい。
【００１８】
上記構成において、標示杭Ａを地盤Ｃに打ち込んだ後、止着部材１５を標示杭Ａに取り付ける。このとき、識別体２は釘形であるため、標示杭Ａの頂面１２ａに開けられた挿入孔１３に軽く打ち込むだけで容易に標示杭Ａに取り付けられる。また、埋設された状態の標示杭Ａに識別体２の取り付けが可能となるので、作業性がよい。さらに、識別体２を取り付けない場合、前記挿入孔１３には測量用の器材であるポール１６もしくは光波反射鏡を立てることができるので、測量の用途にも使用できる。また、標示杭Ａには挿入孔１３を追加するだけで済むから、既存の標示杭Ａにドリル加工で挿入孔１３を設けることにより、本発明を容易に適用できる。
【００１９】
さらに、前記釘形の止着部材１５を利用して、標示杭Ａの頭部に、前記標示杭Ａを識別するための表示プレート２０を取り付けてもよい。図４に示すように、表示プレート２０は、キャップ１２の頂面１２ａに、入口部に外側へ向かって広がるガイド面１３ａが形成されている挿入孔１３を設け、前記釘形の止着部材１５を前記表示プレート２０の中心に設けられた挿通孔２１に挿入して、前記挿入孔１３に打ち込むことにより、標示杭Ａに取り付けられる。前記表示プレート２０は、アルミニウム、ステンレス等の耐腐食性を有する金属または樹脂製であり、円形、多角形などの任意の形状のものが使用できるが、通常、図４に示すように円形状のプレートが好ましく用いられる。この表示プレート２０の表面には、標示杭Ａの識別番号、標示杭Ａの用途、土地の境界表示や区画番号、基準点からの距離、地下埋設物の情報等の各種情報を刻印または印刷することができる。本実施形態の場合、「地籍調査」の文字が印刷されるとともに、標示杭Ａの識別番号「３０３０」が刻印されている。この構成によれば、表示プレート２０を標示杭Ａに取り付けるために別の取付部材を設ける必要がない。
【００２０】
さらに、図５に示すように、キャップ１２がない標示杭Ａの場合は、杭本体１の頭部に、入口部に外側へ向かって広がるガイド面１４ａが形成されている挿入孔１４を設け、この挿入孔１４の内径を止着部材１５の外径よりも若干小さく設定し、止着部材１５を直接杭本体１の挿入孔１４に打ち込んで挿入する。この場合、図４に示した表示プレート２０を止着部材１５によって取り付けることもできる。
【図面の簡単な説明】
【００２１】
【図１】本発明に係る標示杭の一例を示す斜視図である。
【図２】同標示杭に釘形止着部材が取り付けられた場合の要部の断面図である。
【図３】同標示杭に測量用のポールが立てられた場合の要部の断面図である。
【図４】同標示杭に標示杭を識別するための表示プレートが取り付けられた場合の斜視図である。
【図５】キャップがない標示杭の要部の断面図である。
【符号の説明】
【００２２】
１  杭本体
２  識別体
１０  頭部
１０ａ  頂面
１０ｂ  側面
１２  キャップ
１３  キャップの挿入孔
１４  杭本体の頭部の挿入孔
１５  釘形の止着部材
１６  測量用のポール
Ａ  標示杭
Ｃ  地盤
【図１】
2005061994.tif 000003
【図２】
2005061994.tif 000004
【図３】
2005061994.tif 000005
【図４】
2005061994.tif 000006
【図５】
2005061994.tif 000007